(57)【要約】 【課題】３次元画像表示方法及びそれを遂行するための表示装置を提供すること。【解決手段】３次元画像表示方法は、表示パネルに左眼または右眼データ信号を提供する段階、複数のセグメントブロックを含む能動偏光パネルを前記表示パネルに提供されるデータ信号に基づいて第１偏光を出射する第１偏光モード、または、第２偏光を出射する第２偏光モードで動作するようにハイレベル及びローレベルを含む駆動信号を各セグメントブロックに順次に提供する段階、並びに前記駆動信号のレベルが変わる区間に基づいて前記表示パネルに光を選択的に提供する段階を含む。セグメントブロックを第１偏光モード及び第２偏光モードで動作する駆動信号のレベル変化区間に対応して光源部の発光を制御することによってセグメントブロック内で視認される輝度偏差を改善することができ、２次元画像対比３次元画像の輝度比率を改善することができる。【選択図】図２
2013126248.tif 000002
【特許請求の範囲】
【請求項１】
表示パネルに左眼または右眼データ信号を提供する段階と、
複数のセグメントブロックを含む能動偏光パネルを前記表示パネルに提供されるデータ信号に基づいて第１偏光を出射する第１偏光モード及び第２偏光を出射する第２偏光モードで動作させるハイレベル及びローレベルを含む駆動信号を各セグメントブロックに順次に提供する段階と、
前記駆動信号のレベルが変わる区間に基づいて前記表示パネルに光を選択的に提供する段階と、を含むことを特徴とする３次元画像表示方法。  
【請求項２】
前記表示パネルの光を遮断する区間は、
前記駆動信号がローレベルからハイレベルに上がるライジング区間及び前記駆動信号がハイレベルからローレベルに落ちるフォーリング区間を含むことを特徴とする請求項１に記載の３次元画像表示方法。  
【請求項３】
前記能動偏光パネルは偏光用液晶を含み、
前記表示パネルの光を遮断する区間は前記偏光用液晶の応答速度に基づいて設定されることを特徴とする請求項２に記載の３次元画像表示方法。  
【請求項４】
前記表示パネルの光を遮断する区間は、
前記セグメントブロックが前記第１及び第２偏光モードが混線される区間を含むことを特徴とする請求項２に記載の３次元画像表示方法。  
【請求項５】
前記表示パネルに光を選択的に提供する段階は、
複数の発光ブロックは前記表示パネルの複数の表示ブロックに光を順次に提供する段階と、
各発光ブロックは対応するセグメントブロックに提供される駆動信号のレベルが変わる区間に基づいて前記セグメントブロックに対応する表示ブロックの光を遮断する段階と、を含むことを特徴とする請求項２に記載の３次元画像表示方法。  
【請求項６】
表示パネルに左眼または右眼データ信号を提供する表示駆動部と、
複数のセグメントブロックを含み、第１偏光を出射する第１偏光モード及び第２偏光を出射する第２偏光モードで動作する能動偏光パネルと、
前記能動偏光パネルを前記第１偏光モードで動作するハイレベル及び前記能動偏光パネルを第２偏光モードで動作するローレベルを含む駆動信号を各セグメントブロックに順次に提供する偏光駆動部と、
前記駆動信号のレベルが変わる区間に基づいて前記表示パネルに光を選択的に提供する光源部と、を含むことを特徴とする表示装置。
【請求項７】
前記光源部は、
前記駆動信号がローレベルからハイレベルに上がるライジング区間及び前記駆動信号がハイレベルからローレベルに落ちるフォーリング区間に基づいて前記表示パネルの光を遮断することを特徴とする請求項６に記載の表示装置。
【請求項８】
前記能動偏光パネルは偏光用液晶を含み、
前記表示パネルの光を遮断する区間は前記偏光用液晶の応答速度に基づいて設定されたことを特徴とする請求項７に記載の表示装置。  
【請求項９】
前記表示パネルの光を遮断する区間は前記セグメントブロックが前記第１及び第２偏光モードで混線される区間を含むことを特徴とする請求項７に記載の表示装置。  
【請求項１０】
前記光源部は前記表示パネルの複数の表示ブロックに順次に光を提供する複数の発光ブロックを含み、
各発光ブロックは対応するセグメントブロックに提供される駆動信号のレベルが変わる区間に基づいて前記セグメントブロックに対応する表示ブロックの光を遮断することを特徴とする請求項７に記載の表示装置。  
【発明の詳細な説明】
【技術分野】
【０００１】
本発明は、３次元画像表示方法及びそれを遂行するための表示装置に係り、より詳しくは、表示品質を向上させるための３次元画像表示方法及びそれを遂行するための表示装置に関する。
【背景技術】
【０００２】
一般的に液晶表示装置は２次元平面画像を表示する。最近、ゲーム、映画などの分野で３次元立体画像に対する需要が増加し、３次元立体画像を表示する表示装置が開発されている。
【０００３】
通常、３次元画像は、人の両眼を通じての両眼視差（ｂｉｎｏｃｕｌａｒ  ｐａｒａｌｌａｘ）の原理を利用して立体画像を表示する。例えば、人の両眼は、一定程度離れているので、それぞれの目で異なる角度で観察した画像が、脳内に入力される。立体画像表示装置は、こうした両眼視差を利用している。
【０００４】
両眼視差を利用する立体画像表示装置の方式としては、メガネ方式（ｓｔｅｒｅｏｓｃｏｐｉｃ）と非メガネ方式（ａｕｔｏｓｔｅｒｅｏｓｃｏｐｉｃ）がある。メガネ方式には、両眼に各々違った偏光軸を有する偏光フィルタによる受動的（ｐａｓｓｉｖｅ）偏光メガネ（Ｐｏｌａｒｉｚｅｄ  Ｇｌａｓｓｅｓ）方式と、時間分割されて左眼用画像と右眼用画像を周期的に表示し、この周期に同期された左眼シャッターと右眼シャッターを開閉する眼鏡をかける能動的（ａｃｔｉｖｅ）シャッターメガネ（Ｓｈｕｔｔｅｒ  Ｇｌａｓｓｅｓ）方式などがある。  
【０００５】
このように前記偏光メガネ方式及び前記シャッターメガネ方式などが適用された３次元表示装置は、クロストーク、フリッカー、及び縦縞または、横縞などのような表示不良を改善するための課題を有している。
【先行技術文献】
【特許文献】
【０００６】
【特許文献１】米国特許出願公開２００６／０１２５７４２号明細書
【特許文献２】米国特許出願公開２０１１／０１５７２６０号明細書
【特許文献３】米国特許出願公開２０１１／００５７９６５号明細書
【特許文献４】特開２０１１−１１２７４５号公報
【発明の概要】
【発明が解決しようとする課題】
【０００７】
上記のような問題に鑑みてなされたものであって、本発明の目的は、混線及び輝度偏差を改善するための３次元画像表示方法を提供することにある。
【０００８】
本発明の他の目的は、前記３次元画像表示方法を遂行するための表示装置を提供することにある。
【課題を解決するための手段】
【０００９】
上述した本発明の目的を実現するための一実施形態に係る３次元画像表示方法は、表示パネルに左眼または右眼データ信号を提供する段階、複数のセグメントブロックを含む能動偏光パネルを前記表示パネルに提供するデータ信号に基づいて第１偏光を出射する第１偏光モード、または、第２偏光を出射する第２偏光モードで動作するようにハイレベル及びローレベルを含む駆動信号を各セグメントブロックに次々と提供する段階、及び前記駆動信号のレベルが変わる区間に基づいて前記表示パネルに光を選択的に提供する段階を含む。
【００１０】
本実施形態において、前記表示パネルの光を遮断する区間は、前記駆動信号がローレベルからハイレベルに上がるライジング区間及び前記駆動信号がハイレベルからローレベルに落ちるフォーリング区間を含むことができる。  
【００１１】
本実施形態において、前記能動偏光パネルは偏光用液晶を含み、前記表示パネルの光を遮断する区間は、前記偏光用液晶の応答速度に基づいて設定することができる。  
【００１２】
本実施形態において、前記表示パネルの光を遮断する区間は、前記セグメントブロックが前記第１及び第２偏光モードが混線される区間を含むことができる。  
【００１３】
本実施形態において、前記表示パネルに光を選択的に提供する段階は、複数の発光ブロックは前記表示パネルの複数の表示ブロックに光を次々と提供する段階、及び、各発光ブロックは対応するセグメントブロックに提供される駆動信号のレベルが変わる区間に基づいて前記セグメントブロックに対応する表示ブロックの光を遮断する段階を含むことができる。  
【００１４】
本実施形態において、前記発光ブロックのそれぞれは、前記セグメントブロックのそれぞれに対応することができる。  
【００１５】
本実施形態において、前記発光ブロックのそれぞれは、隣接した少なくとも２つのセグメントブロックに対応することができる。  
【００１６】
本実施形態において、前記表示ブロックの光を遮断する区間は、前記表示ブロックに対応するセグメントブロックの駆動信号がローレベルからハイレベルに上がるライジング区間及び前記駆動信号がハイレベルからローレベルに落ちるフォーリング区間を含むことができる。
【００１７】
本実施形態において、前記表示パネルは表示用液晶を含み、前記能動偏光パネルは偏光用液晶を含み、前記表示ブロックの光を遮断する区間は前記表示用液晶の応答速度及び前記偏光用液晶の応答速度に基づいて設定することができる。
【００１８】
本実施形態において、前記表示ブロックの光を遮断する区間は、前記表示ブロックが前記左眼及び右眼画像に混線された区間及び前記セグメントブロックが前記第１及び第２偏光モードが混線された区間を含むことができる。  
【００１９】
上述した本発明の他の目的を実現するための一実施形態に係る表示装置は、表示駆動部、能動偏光パネル、偏光駆動部、及び光源部を含む。前記表示駆動部は表示パネルに左眼または右眼データ信号を提供する。前記能動偏光パネルは、複数のセグメントブロックを含み、第１偏光を出射する第１偏光モード、または、第２偏光を出射する第２偏光モードで動作する。前記偏光駆動部は前記能動偏光パネルを前記第１偏光モードで動作するハイレベル及び前記能動偏光パネルを第２偏光モードで動作するローレベルを含む駆動信号を各セグメントブロックに次々と提供する。前記光源部は前記駆動信号のレベルが変わる区間に基づいて前記表示パネルに光を選択的に提供する。  
【００２０】
本実施形態において、前記光源部は前記駆動信号がローレベルからハイレベルに上がるライジング区間及び前記駆動信号がハイレベルからローレベルに落ちるフォーリング区間に基づいて前記表示パネルの光を遮断することができる。
【００２１】
本実施形態において、前記能動偏光パネルは偏光用液晶を含み、前記表示パネルの光を遮断する区間は前記偏光用液晶の応答速度に基づいて設定することができる。  
【００２２】
本実施形態において、前記表示パネルの光を遮断する区間は前記セグメントブロックが前記第１及び第２偏光モードが混線される区間を含むことができる。  
【００２３】
本実施形態において、前記光源部は前記表示パネルの複数の表示ブロックに次々と光を提供する複数の発光ブロックを含み、各発光ブロックは対応するセグメントブロックに提供される駆動信号のレベルが変わる区間に基づいて前記セグメントブロックに対応する表示ブロックの光を遮断することができる。  
【００２４】
本実施形態において、前記発光ブロックのそれぞれは、前記セグメントブロックのそれぞれに対応することができる。  
【００２５】
本実施形態において、前記発光ブロックのそれぞれは隣接した少なくとも２つのセグメントブロックに対応することができる。
【００２６】
本実施形態において、前記表示ブロックの光を遮断する区間は、前記表示ブロックに対応するセグメントブロックの駆動信号がローレベルからハイレベルに上がるライジング区間及び前記駆動信号がハイレベルからローレベルに落ちるフォーリング区間を含むことができる。  
【００２７】
本実施形態において、前記表示パネルは表示用液晶を含み、前記能動偏光パネルは偏光用液晶を含み、前記表示ブロックの光を遮断する区間は前記表示用液晶の応答速度及び前記偏光用液晶の応答速度に基づいて設定することができる。
【００２８】
本実施形態において、前記表示ブロックの光を遮断する区間は、前記表示ブロックが前記左眼及び右眼画像が混線された区間及び前記セグメントブロックが前記第１及び第２偏光モードが混線される区間を含むことができる。
【発明の効果】
【００２９】
本発明の実施形態によると、セグメントブロックを第１偏光モード及び第２偏光モードで動作する駆動信号のレベル変化区間に対応して光源部の発光を制御することによってセグメントブロック内で視認される輝度偏差を改善することができ、２次元画像対比３次元画像の輝度比率を改善することができる。
【図面の簡単な説明】
【００３０】
【図１】本発明の一実施形態に係る表示装置のブロック図である。
【図２】図１に示した表示装置に係る３次元画像表示方法を説明するための駆動信号の波形図である。
【図３】図１の能動偏光パネルに係る輝度偏差を説明するための概念図である。
【図４】本発明の他の実施形態に係る表示装置のブロック図である。
【図５】図４に示した表示装置に係る３次元画像表示方法を説明するための駆動信号の波形図である。
【図６】本発明の他の実施形態に係る３次元画像表示方法を説明するための駆動信号の波形図である。
【発明を実施するための形態】
【００３１】
以下、図面を参照して本発明の望ましい実施形態をより詳細に説明することにする。  
【００３２】
図１は本発明の一実施形態に係る表示装置のブロック図である。
【００３３】
図１を参照すれば、前記表示装置は制御部１００、表示パネル２００、表示駆動部３００、能動偏光パネル４００、偏光駆動部５００、光源部６００、光源駆動部７００、及び偏光メガネ８００を含む。  
【００３４】
前記制御部１００は、２次元画像データ及び３次元画像データを受信し、前記受信された画像データに基づいて２次元画像モード、または、３次元画像モードで前記表示装置の各構成要素の駆動を制御する。
【００３５】
前記表示パネル２００は、複数のデータラインＤＬ、複数のゲートラインＧＬ、複数のサブ画素ＳＰを含む。前記サブ画素ＳＰは、複数の画素列と複数の画素行を含むマトリックス形態で配列されることができる。各サブ画素ＳＰは、データラインとゲートラインに接続されたスイッチング素子、及び、前記スイッチング素子と接続された画素電極を含むことができる。例えば、前記表示パネル２００は、前記スイッチング素子及び前記画素電極が形成された第１表示基板、前記第１基板と対向して共通電極が形成された第２表示基板、並びに前記第１表示基板と第２表示基板との間に配置された表示用液晶層を含むことができる。  
【００３６】
前記表示駆動部３００は、前記制御部１００の制御に従って前記表示パネル２００を駆動する。前記表示駆動部３００はデータラインを駆動するデータ駆動部及び前記ゲートラインを駆動するゲート駆動部を含むことができる。  
【００３７】
前記能動偏光パネル４００は、複数のセグメントブロック（ＳＧ１，ＳＧ２，…，ＳＧｎ）を含み、前記セグメントブロック（ＳＧ１，ＳＧ２，…，ＳＧｎ）はスキャニング方向に配列される。例えば、前記能動偏光パネル４００は、セグメント電極が形成された第１偏光基板、前記第１偏光基板に対向して前記セグメント電極と対向する対向電極が形成された第２偏光基板、及び前記第１偏光基板と第２偏光基板との間に介在した偏光用液晶層を含むことができる。前記偏光用液晶層は、ＯＣＢモードでありうる。前記セグメント電極には偏光モードに従ってハイ電圧及びロー電圧が印加され、前記対向電極には常にロー電圧が印加される。前記ロー電圧は接地電圧でありうる。前記能動偏光パネル４００は前記セグメント電極が形成されたセグメントブロック単位で駆動される。以下では、前記能動偏光パネル４００は第１〜第８セグメントブロック（ＳＧ１，ＳＧ２，…，ＳＧ８）を含むことを例として説明する。  
【００３８】
前記偏光駆動部５００は前記制御部１００の制御により画像モードに従って前記能動偏光パネル４００を駆動する。  
【００３９】
例えば、３次元画像モード時、前記表示パネル２００が左眼画像を表示する第１フレームの間、前記対向電極にロー電圧を印加して前記左眼画像がスキャニングされる方向に沿って前記セグメント電極に順次に前記ハイ電圧を印加する。これに従って前記能動偏光パネル４００は前記表示パネル２００から出射された光を第１偏光として出射する第１偏光モードで動作する。一方、前記表示パネル２００が右眼画像を表示する第２フレームの間、前記対向電極にロー電圧を印加して前記セグメント電極に前記ロー電圧を順次に印加する。これに従って、前記能動偏光パネル４００は前記表示パネル２００から出射された光を第２偏光として出射する第２偏光モードで動作する。  
【００４０】
一方、２次元画像モード時、前記対向電極にロー電圧を印加し、前記セグメント電極に前記ロー電圧を順次に印加する。即ち、前記２次元画像モード時、前記能動偏光パネル４００は前記第２偏光モードで動作する。一方、観察者は２次元画像モード時前記偏光メガネ８００を着用しないので、前記能動偏光パネル４００から出射された第２偏光を区別することができない。従って、観察者は平面画像である２次元画像を視認することができる。
【００４１】
前記光源部６００は前記表示パネル２００に提供するための光を発生する。前記光源部６００は導光板と、前記導光板の少なくとも一つのエッジに配置された少なくとも一つの光源とを含むことができる。または、前記光源部６００は前記導光板が省略され、前記表示パネル２００の下に配置された少なくとも一つの光源を含むことができる。前記光源はランプまたは発光ダイオードでありうる。  
【００４２】
前記光源駆動部７００は、前記制御部１００の制御に従って前記光源部６００を駆動する。前記制御部１００は前記能動偏光パネル４００の各セグメント電極に印加される電圧がロー電圧からハイ電圧に変わるライジング区間とハイ電圧からロー電圧に変わるフォーリング区間に同期されて前記光源部６００に印加される光源駆動信号を制御する。  
【００４３】
前記光源部６００は、ハイレベルの光源駆動信号に応答して光を発生し、ロー電圧の光源駆動信号に応答して光を発生しない。各セグメントブロックの輝度偏差を引き起こす前記ライジング区間とフォーリング区間との間、前記表示パネル２００の光を遮断することによって観察者はセグメントブロック内の輝度偏差を視認することができない。結果的に３次元画像の表示品質を向上させることができる。  
【００４４】
前記偏光メガネ８００は左眼用レンズ８１０と右眼用レンズ８２０を含む。３次元画像モード時、前記左眼用レンズ８１０は前記能動偏光パネル４００から出射された前記左眼画像に対応する第１偏光を透過し、前記右眼画像に対応する前記第２偏光は遮断する。前記右眼用レンズ８２０は前記能動偏光パネル４００から出射された前記右眼画像に対応する第２偏光を透過し、前記左眼画像に対応する前記第１偏光は遮断する。これに従って、観察者は前記偏光メガネ８００を介して前記３次元画像を視認することができる。
【００４５】
図２は図１に示した表示装置に係る３次元画像表示方法を説明するための駆動信号の波形図である。図３は図１の能動偏光パネルに係る輝度偏差を説明するための概念図である。  
【００４６】
図１及び図２を参照すれば、前記表示駆動部３００は前記表示パネル２００に３次元画像に対応するデータ信号を提供する。例えば、第ＮフレームＦ＿Ｎの間、前記表示パネル２００に左眼データ信号Ｌを提供し、第（Ｎ＋１）フレームＦ＿Ｎ＋１の間、前記表示パネル２００に右眼データ信号Ｒを提供する。以下では前記左眼データ信号Ｌは、ホワイト階調に対応するデータ信号を例とし、前記右眼データ信号Ｒはブラック階調に対応するデータ信号を例とする。  
【００４７】
前記表示駆動部３００は、前記表示パネル２００にスキャニング方向に沿って水平ライン単位でデータ信号を提供する。
【００４８】
図示したように、前記表示駆動部３００は、前記能動偏光パネル４００の第１〜第８セグメントブロックに対応する第１〜第８表示ブロックに順次に第１〜第８データ信号（ＤＢＳ１，ＤＢＳ２，…，ＤＢＳ８）を提供することができる。ここで、前記第１〜第８データ信号（ＤＢＳ１，ＤＢＳ２，…，ＤＢＳ８）のそれぞれは、対応する表示ブロックに含まれた任意の水平ラインに印加されるデータ信号でありうる。
【００４９】
前記偏光駆動部５００は、前記能動偏光パネル４００に駆動信号を提供する。例えば、前記左眼データ信号Ｌが前記表示パネル２００に提供される前記第ＮフレームＦ＿Ｎの間、前記能動偏光パネル４００の第１〜第８セグメント電極にハイ電圧の第１〜第８駆動信号（ＳＧＳ１，ＳＧＳ２，…，ＳＧＳ８）を順次に提供する。前記右眼データ信号Ｒが前記表示パネル２００に提供する前記第（Ｎ＋１）フレームＦ＿Ｎ＋１の間、前記能動偏光パネル４００の第１〜第８セグメント電極に前記ロー電圧の第１〜第８駆動信号（ＳＧＳ１，ＳＧＳ２，…，ＳＧＳ８）を順次に提供する。前記能動偏光パネル４００の対向電極には常にロー電圧が提供される。
【００５０】
図３を参照すれば、第１液晶応答曲線１ｓｔ＿ＬＣ＿Ｄは、第１セグメントブロックＳＧ１に対応する第１表示ブロックの最初の水平ラインに印加されたデータ信号に対応する液晶応答曲線である。第２液晶応答曲線ｌａｓｔ＿ＬＣ＿Ｄは、前記第１表示ブロックの最後の水平ラインに印加されたデータ信号に対応する液晶応答曲線である。第３液晶応答曲線ＬＣ＿Ａは、前記能動偏光パネル４００の第１セグメント電極に印加された駆動信号に対応する液晶応答曲線である。
【００５１】
前記第１及び第２液晶応答曲線（１ｓｔ＿ＬＣ＿Ｄ，ｌａｓｔ＿ＬＣ＿Ｄ）は、前記表示パネル２００に含まれた表示用液晶の応答曲線であり、前記第３液晶応答曲線ＬＣ＿Ａは、前記能動偏光パネル４００に含まれた偏光用液晶の応答曲線である。
【００５２】
前記第１表示ブロックには第ＮフレームＦ＿Ｎの間、２５５階調に対応する左眼データ信号であるホワイト電圧Ｗ＿Ｖが印加されて、第（Ｎ＋１）フレームＦ＿Ｎ＋１の間、０階調に対応する右眼データ信号であるブラック電圧Ｂ＿Ｖが印加され、第（Ｎ＋２）フレームＦ＿Ｎ＋２の間、２５５階調に対応する左眼データ信号であるホワイト電圧Ｗ＿Ｖが印加される。  
【００５３】
図示したように、前記第１表示ブロックの前記第１及び第２液晶応答曲線（１ｓｔ＿ＬＣ＿Ｄ，ｌａｓｔ＿ＬＣ＿Ｄ）によると、前記第１表示ブロックは前記第（Ｎ＋１）フレームＦ＿Ｎ＋１の開始点から第１表示区間Ｔ１の間は、以前のフレームＦ＿Ｎの前記ホワイト電圧Ｗ＿Ｖから現在のフレームＦ＿Ｎ＋１のブラック電圧Ｂ＿Ｖに変化し、前記第１表示区間Ｔ１以後から第２表示区間Ｔ２の間、前記ブラック電圧Ｖ＿Ｂを維持する。また、前記第１表示ブロックは、前記第（Ｎ＋２）フレームＦ＿Ｎ＋２の開始点から第１表示区間Ｔ１の間は、以前のフレームＦ＿Ｎ＋１の前記ブラック電圧Ｂ＿Ｖから現在のフレームＦ＿Ｎ＋２のホワイト電圧Ｗ＿Ｖに変化し、前記第２表示区間Ｔ２の間、ホワイト電圧Ｗ＿Ｖを維持する。
【００５４】
前記第１セグメント電極には前記第ＮフレームＦ＿Ｎの間、前記左眼データ信号Ｌに対応してハイ電圧Ｈ＿Ｖの駆動信号が印加され、第（Ｎ＋１）フレームＦ＿Ｎ＋１の間、前記右眼データ信号Ｒに対応してロー電圧Ｌ＿Ｖの駆動信号が印加され、第（Ｎ＋２）フレームＦ＿Ｎ＋２の間、前記左眼データ信号Ｌに対応して、再び電圧Ｈ＿Ｖの駆動信号が印加される。  
【００５５】
図示したように、前記第３液晶応答曲線ＬＣ＿Ａによれば、前記第１セグメントブロックは、前記第（Ｎ＋１）フレームＦ＿Ｎ＋１の開始点から第１偏光区間ｔ１の間、以前のフレームＦ＿Ｎの前記ハイ電圧Ｈ＿Ｖから現在のフレームＦ＿Ｎ＋１のロー電圧Ｌ＿Ｖに変化し、前記第１偏光区間ｔ１以後から第２偏光区間ｔ２の間、ロー電圧Ｌ＿Ｖを維持する。また、前記第１セグメントブロックは、前記第（Ｎ＋２）フレームＦ＿Ｎ＋２の開始点から第１偏光区間ｔ１の間は、以前のフレームＦ＿Ｎ＋１の前記ロー電圧Ｌ＿Ｖから現在のフレームＦ＿Ｎ＋２のハイ電圧Ｈ＿Ｖに変化し、前記第２偏光区間ｔ２の間、前記ハイ電圧Ｈ＿Ｖを維持する。  
【００５６】
前記第（Ｎ＋１）フレームＦ＿Ｎ＋１の初期区間を調べると、前記第１表示区間Ｔ１の間、前記第１表示ブロックは左眼データ信号と右眼データ信号が混線された混線画像が表示される。前記第１セグメントブロックは前記第１偏光区間ｔ１の間、第１偏光モードから第２偏光モードに変化する。従って、前記第１偏光区間ｔ１の間、前記第１表示ブロックに表示された混線画像のような非正常画像が視認される。  
【００５７】
また、前記第（Ｎ＋２）フレームＦ＿Ｎ＋２の初期区間を調べると、前記第１表示区間Ｔ１の間、前記第１表示ブロックは右眼データ信号と左眼データ信号が混線された混線画像が表示される。前記第１セグメントブロックは、前記第１偏光区間ｔ１の間は、第２偏光モードから第１偏光モードに変化する。従って、前記第１偏光区間ｔ１の間、前記第１表示ブロックに表示された混線画像のような非正常画像が視認される。
【００５８】
従って、前記第１セグメントブロックの上部または下部領域に対応する第１表示ブロックは非正常画像を表示し、前記第１セグメントブロックの中間領域に対応する第１表示ブロックは正常画像を表示する。これに従って、観察者は各セグメント内の輝度偏差を視認することになる。
【００５９】
本実施形態によれば、前記セグメント電極に印加される前記駆動信号のレベルが変わるライジング区間及びフォーリング区間に前記表示パネル２００に提供される光を遮断して観察者が前記セグメント領域の輝度偏差を視認できないようにする。  
【００６０】
図２に図示したように、前記光源駆動部７００は、前記制御部１００の制御に従って前記第１〜第８駆動信号（ＳＧＳ１，ＳＧＳ２，…，ＳＧＳ８）それぞれのライジング区間及びフォーリング区間に対応して前記光源部６００を駆動する光源駆動信号ＬＤＳをローレベルで制御する。
【００６１】
例えば、第１セグメントブロックに対応する第１セグメント電極が印加される第１駆動信号ＳＧＳ１がロー電圧からハイ電圧に上がる第１ライジング区間Ｒ１及びロー電圧からハイ電圧に落ちる第１フォーリング区間Ｆ１に、前記光源駆動信号ＬＤＳはローレベルを有する。前記表示パネル２００の光を遮断する区間は、前記第１ライジング区間Ｒ１及び前記第１フォーリング区間Ｆ１から前記偏光用液晶の応答速度を考慮して一定区間延伸することができ、または、前記第１セグメントブロックが前記第１及び第２偏光モードで混線される第１偏光区間ｔ１を含むことができる。  
【００６２】
第２セグメント電極に印加される第２駆動信号ＳＧＳ２がロー電圧からハイ電圧に上がる第２ライジング区間Ｒ２及びロー電圧からハイ電圧に落ちる第２フォーリング区間Ｆ２の間、前記光源駆動信号ＬＤＳはローレベルを有する。前記表示パネル２００の光を遮断する区間は、前記第２ライジング区間Ｒ２及び前記第２フォーリング区間Ｆ２から前記偏光用液晶の応答速度を一定区間延長することができ、または、前記第２セグメントブロックが前記第１及び第２偏光モードで混線される第１偏光区間ｔ１を含むことができる。  
【００６３】
第３セグメント電極に印加される第３駆動信号ＳＧＳ３がロー電圧からハイ電圧に上がる第３ライジング区間Ｒ３及びロー電圧からハイ電圧に落ちる第３フォーリング区間Ｆ３の間、前記光源駆動信号ＬＤＳはローレベルを有する。前記表示パネル２００の光を遮断する区間は前記第３ライジング区間Ｒ３及び前記第３フォーリング区間Ｆ３から前記偏光用液晶の応答速度を考慮して一定区間延長することができ、または、前記第３セグメントブロックが前記第１及び第２偏光モードで混線される第１偏光区間ｔ１を含むことができる。
【００６４】
このような方式で、前記光源駆動信号ＬＤＳは前記第１〜第８駆動信号（ＳＧＳ１，ＳＧＳ２，…，ＳＧＳ８）それぞれのレベルが変わる区間に対応する設定された区間の間、ローレベルを有する。前記ライジング区間及びフォーリング区間は前記能動偏光パネル４００に含まれた偏光用液晶の応答速度を考慮して多様に設定されることができる。  
【００６５】
これによって、前記セグメントブロックの輝度偏差を引き起こす前記ライジング区間とフォーリング区間の間に、前記表示パネル２００の光を遮断することによって観察者はセグメントブロックの輝度偏差を視認することができない。結果的に３次元画像の表示品質を向上させることができる。  
【００６６】
図４は本発明の他の実施形態に係る表示装置のブロック図である。  
【００６７】
図１及び図４を参照すれば、本実施形態に係る表示装置は、上述した実施形態と比較する時、光源部６２０の駆動方法を除いては実質的に同一である。これに対して同じ構成要素は同じ図面符号を付与し、繰り返される説明は省略する。  
【００６８】
本実施形態に係る前記光源部６２０は、複数の発光ブロック（ＬＢ１，ＬＢ２，…，ＬＢｋ）（ｋは自然数）を含む。前記発光ブロック（ＬＢ１，ＬＢ２，…，ＬＢｋ）は、スキャニング方向に沿って配列され、一フレームの間、スキャニング方向に沿って順次に発光する。
【００６９】
前記発光ブロック（ＬＢ１，ＬＢ２，…，ＬＢｋ）それぞれは、前記能動偏光パネル４００のセグメントブロック（ＳＧ１，ＳＧ２，…，ＳＧｎ）それぞれに対応したり、または、少なくとも２つのセグメントブロックに対応することができる。前記発光ブロック（ＬＢ１，ＬＢ２，…，ＬＢｋ）は前記セグメントブロック（ＳＧ１，ＳＧ２，…，ＳＧｎ）の駆動タイミングに同期されて順次に発光されることができる。  
【００７０】
図５は図４に示した表示装置に係る３次元画像表示方法を説明するための駆動信号の波形図である。  
【００７１】
図１、図４及び図５を参照すれば、前記表示駆動部３００は、第ＮフレームＦ＿Ｎの第１ブロック区間Ｂ１の間、第１表示ブロックに左眼データ信号Ｌを提供し、第（Ｎ＋１）フレームＦ＿Ｎ＋１の第１ブロック区間Ｂ１の間、前記第１表示ブロックに右眼データ信号Ｒを提供する（ＤＢＳ１）。
【００７２】
前記偏光駆動部５００は前記表示駆動部３００に同期されて、前記第ＮフレームＦ＿Ｎの第１ブロック区間Ｂ１から一フレームの間、第１セグメントブロックを前記左眼データ信号Ｌに対応する第１偏光モードで動作させるために前記第１セグメントブロックのセグメント電極にハイレベルの電圧を提供し、第（Ｎ＋１）フレームＦ＿Ｎ＋１の第１ブロック区間Ｂ１から一フレームの間、第１セグメントブロックを前記右眼データ信号Ｒに対応する第２偏光モードで動作させるために前記第１セグメントブロックのセグメント電極にローレベルの電圧を提供する（ＳＧＳ１）。
【００７３】
これに従って、表示用液晶応答曲線ＬＣ＿Ｄに基づいて前記フレームの第１表示区間Ｔ１の間、前記第１表示ブロックは以前のフレームの画像から現在のフレームの画像に変わる混線画像を表示し、前記フレームの第２表示区間Ｔ２の間、前記第１表示ブロックは左眼または右眼画像を表示する。偏光用液晶応答曲線ＬＣ＿Ａに基づいて前記フレームの第１偏光区間ｔ１の間、前記第１セグメントブロックは以前のフレームの偏光モードから現在のフレームの偏光モードに変わる混線モードで動作し、前記フレームの第２偏光区間ｔ２の間、前記第１セグメントブロックは前記第１または第２偏光モードで動作する。  
【００７４】
前記第１表示区間Ｔ１と前記第１偏光区間ｔ１は重畳され、前記表示用液晶応答特性及び前記偏光用液晶応答特性に応じて、長さは互いに同じであるか、または、異なることができる。
【００７５】
前記第１表示ブロック及び前記第１セグメントブロックの動作状態を考慮して、前記光源駆動部７００は前記第１セグメントブロックに対応する前記光源部６２０の第１発光ブロックＬＢ１を選択的に発光するために第１光源駆動信号ＬＢＳ１を生成する。
【００７６】
前記第１表示ブロックの光を遮断する区間は前記第１駆動信号ＳＧＳ１のライジング区間及びフォーリング区間を含む。また、前記偏光用液晶の応答速度及び前記表示用液晶の応答速度を考慮して前記ライジング区間またはフォーリング区間から一定区間延長することができる。または、前記第１表示ブロックの光を遮断する区間は前記第１表示区間Ｔ１及び前記第１偏光区間ｔ１を含むことができる。  
【００７７】
図示したように、前記第１光源駆動信号ＬＢＳ１は前記第１偏光区間ｔ１を含む前記第１表示区間Ｔ１の間、ローレベルを有し、前記第２表示区間Ｔ２の間、ハイレベルを有する。前記第１発光ブロックは前記第１表示ブロックに前記第１表示区間Ｔ１の間に光を提供しないで、前記第２表示区間Ｔ２間に光を提供する。  
【００７８】
これに従って、前記第１セグメントブロックの輝度偏差を引き起こす第１駆動信号ＳＧＳ１のライジング区間とフォーリング区間の間、前記第１セグメントブロックの光を遮断することによって観察者は第１セグメントブロックの輝度偏差を視認することができない。また、前記第１表示ブロックに混線画像が表示される第１表示区間の間、前記第１表示ブロックを光を遮断することによって観察者は混線画像を視認することができない。これに従って、３次元画像を表示品質を向上させることができる。
【００７９】
次に、前記表示駆動部３００は、第ＮフレームＦ＿Ｎの第２ブロック区間Ｂ２の間、第２表示ブロックに左眼データ信号Ｌを提供し、第（Ｎ＋１）フレームＦ＿Ｎ＋１の第２ブロック区間Ｂ２の間、前記第２表示ブロックに右眼データ信号Ｒを提供する（ＤＢＳ２）。
【００８０】
前記偏光駆動部５００は前記表示駆動部３００に同期されて、前記第ＮフレームＦ＿Ｎの第２ブロック区間Ｂ２から一フレームの間、前記第２セグメントブロックのセグメント電極にハイレベルの電圧を提供し、第（Ｎ＋１）フレームＦ＿Ｎ＋１の第２ブロック区間Ｂ２から一フレームの間、前記第２セグメントブロックのセグメント電極にローレベルの電圧を提供する（ＳＧＳ２）。
【００８１】
これに従って、表示用液晶応答曲線ＬＣ＿Ｄに基づいて前記フレームの第１表示区間Ｔ１の間、前記第２表示ブロックは以前のフレームの画像から現在のフレームの画像に変わる混線画像を表示し、前記フレームの第２表示区間Ｔ２の間、前記第２表示ブロックは左眼または右眼画像を表示する。偏光用液晶応答曲線ＬＣ＿Ａに基づいて前記フレームの第１偏光区間ｔ１の間、前記第２セグメントブロックは以前のフレームの偏光モードから現在のフレームの偏光モードに変わる混線モードで動作し、前記フレームの第２偏光区間ｔ２の間、前記第２セグメントブロックは前記第１または第２偏光モードで動作する。前記第１表示区間Ｔ１と前記第１偏光区間ｔ１は重畳され、前記表示用液晶応答特性及び前記偏光用液晶応答特性に従って、長さは互いに同じであるか、または、異なることができる。
【００８２】
前記第２表示ブロック及び前記第２セグメントブロックの動作状態を考慮して、前記光源駆動部７００は前記第２セグメントブロックに対応する前記光源部６２０の第２発光ブロックＬＢ２を選択的に発光するために第２光源駆動信号ＬＢＳ２を生成する。
【００８３】
前記第２表示ブロックの光を遮断する区間は、前記第２駆動信号ＳＧＳ２のライジング区間及びフォーリング区間を含む。また、前記偏光用液晶の応答速度及び前記表示用液晶の応答速度を考慮して前記ライジング区間またはフォーリング区間から一定区間延長することができる。または、前記第２表示ブロックの光を遮断する区間は前記第１表示区間Ｔ１及び前記第１偏光区間ｔ１を含むことができる。
【００８４】
図示したように、前記第２光源駆動信号ＬＢＳ２は、前記第１偏光区間ｔ１を含む前記第１表示区間Ｔ１の間、ローレベルを有し、前記第２表示区間Ｔ２の間、ハイレベルを有する。前記第２発光ブロックは前記第２表示ブロックに前記第１表示区間Ｔ１の間に光を提供しないで、前記第２表示区間Ｔ２の間に光を提供する。  
これに従って、前記第２セグメントブロックの輝度偏差を引き起こす第２駆動信号ＳＧＳ１のライジング区間とフォーリング区間の間、前記第２セグメントブロックの光を遮断することによって観察者は第２セグメントブロックの輝度偏差を視認することができない。また、前記第２表示ブロックに混線画像が表示される第１表示区間の間、前記第２表示ブロックを光を遮断することによって観察者は混線画像を視認することができない。これに従って、３次元画像を表示品質を向上させることができる。
【００８５】
以上のような方式で、前記表示駆動部３００は第３〜第８表示ブロックに順次に左眼または右眼データ信号（ＤＢＳ３，…，ＤＢＳ８）を提供し、前記偏光駆動部５００は第３〜第８セグメントブロックに順次に駆動信号（ＳＧＳ３，…，ＳＧＳ８）を提供し、前記光源駆動部７００は第３〜第８発光ブロックに順次に光源駆動信号（ＬＢＳ３，…，ＬＢＳ８）を提供する。  
【００８６】
これに従って、各セグメントブロックの輝度偏差を引き起こす駆動信号のライジング区間とフォーリング区間の間、前記セグメントブロックの光を遮断することによって観察者はセグメントブロックの輝度偏差を視認することができない。また、各表示ブロックに混線画像が表示される第１表示区間の間、前記表示ブロックを光を遮断することによって観察者は混線画像を視認することができない。これに従って、３次元画像を表示品質を向上させることができる。
【００８７】
図６は本発明の他の実施形態に係る３次元画像表示方法を説明するための駆動信号の波形図である。
【００８８】
本実施形態に係る３次元画像表示方法は、図５で説明した実施形態と比較する時、セグメントブロックより整数倍少ない個数の発光ブロックを含む表示装置によって実行されることができる。つまり、１の発光ブロックと複数のセグメントブロックが対応するように配置される。  
【００８９】
図１、図４及び図６を参照すると、例えば、第１〜第８セグメントブロックを含む前記能動偏光パネル４００に対して前記光源部６２０は第１〜第４発光ブロックを含む。  
【００９０】
前記表示駆動部３００は、第ＮフレームＦ＿Ｎの第１ブロック区間Ｂ１の間、第１表示ブロックに左眼データ信号Ｌを提供し、第（Ｎ＋１）フレームＦ＿Ｎ＋１の第１ブロック区間Ｂ１の間、前記第１表示ブロックに右眼データ信号Ｒを提供する（ＤＢＳ１）。前記偏光駆動部５００は前記表示駆動部３００に同期され、前記第ＮフレームＦ＿Ｎの第１ブロック区間Ｂ１から一フレームの間、第１セグメントブロックのセグメント電極にハイレベルの電圧を提供し、第（Ｎ＋１）フレームＦ＿Ｎ＋１の第１ブロック区間Ｂ１から一フレームの間、前記第１セグメントブロックのセグメント電極にローレベルの電圧を提供する（ＳＧＳ１）。
【００９１】
また、前記表示駆動部３００は、第ＮフレームＦ＿Ｎの第２ブロック区間Ｂ２の間、第２表示ブロックに左眼データ信号Ｌを提供し、第（Ｎ＋１）フレームＦ＿Ｎ＋１の第２ブロック区間Ｂ２の間、前記第２表示ブロックに右眼データ信号Ｒを提供する（ＤＢＳ２）。前記偏光駆動部５００は、前記表示駆動部３００に同期され、前記第ＮフレームＦ＿Ｎの第２ブロック区間Ｂ２から一フレームの間、前記第２セグメントブロックのセグメント電極にハイレベルの電圧を提供し、第（Ｎ＋１）フレームＦ＿Ｎ＋１の第２ブロック区間Ｂ２から一フレームの間、前記第２セグメントブロックのセグメント電極にローレベルの電圧を提供する（ＳＧＳ２）。  
【００９２】
これに従って、表示用液晶応答曲線ＬＣ＿Ｄに基づいて前記フレームの第１表示区間Ｔ１の間、前記第１及び第２表示ブロックは、以前のフレームの画像から現在のフレームの画像に変わる混線画像を表示し、前記フレームの第２表示区間Ｔ２の間、前記第１及び第２表示ブロックは左眼または右眼画像を表示する。偏光用液晶応答曲線ＬＣ＿Ａに基づいて前記フレームの第１偏光区間ｔ１の間、前記第１及び第２セグメントブロックは、以前のフレームの偏光モードから現在のフレームの偏光モードに変わる混線モードで動作し、前記フレームの第２偏光区間ｔ２の間、前記第１及び第２セグメントブロックは前記第１または第２偏光モードで動作する。  
【００９３】
前記第１表示区間Ｔ１と前記第１偏光区間ｔ１は重畳され、前記表示用液晶応答特性及び前記偏光用液晶応答特性に従って、長さは互いに同じであるか、または、異なることもある。  
【００９４】
前記第１及び第２表示ブロックと、前記第１及び第２セグメントブロックの動作状態を考慮して、前記光源駆動部７００は前記第１及び第２セグメントブロックに対応する前記光源部６２０の第１発光ブロックＬＢ１を選択的に発光するための第１光源駆動信号ＬＢＳ１を生成する。
【００９５】
前記第１及び第２表示ブロックの光を遮断する区間は、前記第１及び第２駆動信号（ＳＧＳ１，ＳＧＳ２）のライジング区間及びフォーリング区間を含む。また、前記偏光用液晶の応答速度及び前記表示用液晶の応答速度を考慮して前記ライジング区間またはフォーリング区間から一定区間延長することができる。または、前記第１及び第２表示ブロックの光を遮断する区間は前記第１表示区間Ｔ１及び前記第１偏光区間ｔ１を含むことができる。  
【００９６】
図示したように、前記第１光源駆動信号ＬＢＳ１は、前記第１偏光区間ｔ１を含む前記第１表示区間Ｔ１の間、ローレベルを有し、前記第２表示区間Ｔ２の間、ハイレベルを有する。前記第１発光ブロックは前記第１及び第２表示ブロックに前記第１表示区間Ｔ１の間に光を提供しないで、前記第２表示区間Ｔ２の間に光を提供する。  
【００９７】
これに従って、前記第１及び第２セグメントブロックの輝度偏差を引き起こす第１及び第２駆動信号（ＳＧＳ１，ＳＧＳ２）のライジング区間とフォーリング区間の間、前記第１及び第２セグメントブロックの光を遮断することによって観察者は第１及び第２セグメントブロックの輝度偏差を視認することができない。また、前記第１及び第２表示ブロックに混線画像が表示される第１表示区間の間、前記第１及び第２表示ブロックの光を遮断することによって観察者は混線画像を視認することができない。これに従って、３次元画像を表示品質を向上させることができる。  
【００９８】
次に、前記表示駆動部３００は第ＮフレームＦ＿Ｎの第３ブロック区間Ｂ３の間、第３表示ブロックに左眼データ信号Ｌを提供し、第（Ｎ＋１）フレームＦ＿Ｎ＋１の第３ブロック区間Ｂ３の間、前記第３表示ブロックに右眼データ信号Ｒを提供する（ＤＢＳ３）。前記偏光駆動部５００は、前記表示駆動部３００に同期され、前記第ＮフレームＦ＿Ｎの第３ブロック区間Ｂ３から一フレームの間、第３セグメントブロックのセグメント電極にハイレベルの電圧を提供し、第（Ｎ＋１）フレームＦ＿Ｎ＋１の第３ブロック区間Ｂ３から一フレームの間、前記第３セグメントブロックのセグメント電極にローレベルの電圧を提供する（ＳＧＳ３）。
【００９９】
また、前記表示駆動部３００は第ＮフレームＦ＿Ｎの第４ブロック区間Ｂ４の間、第４表示ブロックに左眼データ信号Ｌを提供し、第（Ｎ＋１）フレームＦ＿Ｎ＋１の第４ブロック区間Ｂ４の間、前記第４表示ブロックに右眼データ信号Ｒを提供する（ＤＢＳ４）。前記偏光駆動部５００は、前記表示駆動部３００に同期され、前記第ＮフレームＦ＿Ｎの第４ブロック区間Ｂ４から一フレームの間、前記第４セグメントブロックのセグメント電極にハイレベルの電圧を提供し、第（Ｎ＋１）フレームＦ＿Ｎ＋１の第４ブロック区間Ｂ４から一フレームの間、前記第４セグメントブロックのセグメント電極にローレベルの電圧を提供する（ＳＧＳ４）。
【０１００】
これに従って、表示用液晶応答曲線ＬＣ＿Ｄに基づいて前記フレームの第１表示区間Ｔ１の間、前記第３及び第４表示ブロックは以前のフレームの画像から現在のフレームの画像に変わる混線画像を表示し、前記フレームの第２表示区間Ｔ２の間、前記第３及び第４表示ブロックは左眼または右眼画像を表示する。偏光用液晶応答曲線ＬＣ＿Ａに基づいて前記フレームの第１偏光区間ｔ１の間、前記第３及び第４セグメントブロックは、以前のフレームの偏光モードから現在のフレームの偏光モードに変わる混線モードで動作し、前記フレームの第２偏光区間ｔ２の間、前記第３及び第４セグメントブロックは前記第１または第２偏光モードで動作する。  
【０１０１】
前記第３及び第４表示ブロックと、前記第３及び第４セグメントブロックの動作状態を考慮して、前記光源駆動部７００は前記第３及び第４セグメントブロックに対応する前記光源部６２０の第２発光ブロックＬＢ２を選択的に発光するための第２光源駆動信号ＬＢＳ２を生成する。  
【０１０２】
前記第３及び第４表示ブロックの光を遮断する区間は、前記第３及び第４駆動信号（ＳＧＳ３，ＳＧＳ４）のライジング区間及びフォーリング区間を含む。また、前記偏光用液晶の応答速度及び前記表示用液晶の応答速度を考慮して前記ライジング区間またはフォーリング区間から一定区間延長することができる。または、前記第３及び第４表示ブロックの光を遮断する区間は前記第１表示区間Ｔ１及び前記第１偏光区間ｔ１を含むことができる。  
【０１０３】
図示したように、前記第２光源駆動信号ＬＢＳ２は前記第１偏光区間ｔ１を含む前記第１表示区間Ｔ１の間、ローレベルを有し、前記第２表示区間Ｔ２の間、ハイレベルを有する。前記第２発光ブロックは前記第３及び第４表示ブロックに前記第１表示区間Ｔ１の間に光を提供しないで、前記第２表示区間Ｔ２の間に光を提供する。  
【０１０４】
これに従って、前記第３及び第４セグメントブロックの輝度偏差を引き起こす第３及び第４駆動信号（ＳＧＳ３，ＳＧＳ４）のライジング区間とフォーリング区間の間、前記第３及び第４セグメントブロックの光を遮断することによって観察者は第３及び第４セグメントブロックの輝度偏差を視認することができない。また、前記第３及び第４表示ブロックに混線画像が表示される第１表示区間の間、前記第３及び第４表示ブロックの光を遮断することによって観察者は混線画像を視認することができない。これに従って、３次元画像を表示品質を向上させることができる。  
【０１０５】
以上のような方式で、前記表示駆動部３００は第５〜第８表示ブロックに順次に左眼または右眼データ信号（ＤＢＳ５，…，ＤＢＳ８）を提供し、前記偏光駆動部５００は第５〜第８セグメントブロックに順次に駆動信号（ＳＧＳ５，…，ＳＧＳ８）を提供し、前記光源駆動部７００は第５〜第８発光ブロックに順次に光源駆動信号（ＬＢＳ５，…，ＬＢＳ８）を提供する。  
【０１０６】
これに従って、各セグメントブロックの輝度偏差を引き起こす駆動信号のライジング区間とフォーリング区間の間、前記セグメントブロックの光を遮断することによって観察者はセグメントブロックの輝度偏差を視認することができない。また、各表示ブロックに混線画像が表示される第１表示区間の間、前記表示ブロックを光を遮断することによって観察者は混線画像を視認することができない。これに従って、３次元画像を表示品質を向上させることができる。また、図５で説明した実施形態に係る表示装置に比べて、発光ブロックの数を減らすことができるので光源部の製造原価を節減できる。  
【０１０７】
下記の表１は、セグメント内の輝度偏差に対して本発明に係る実施形態と比較例を比較したデータである。
【表１】
2013126248.tif 000003
【０１０８】
表１を参照すると、比較例は一フレームの１００％区間の間、光を発生する場合であり、第１実施形態は一フレームの５０％区間の間、光を発生する場合であって図４で説明したように各セグメントブロックを駆動する駆動信号のライジング区間及びフォーリング区間の光を遮断する場合であり、第２実施形態は一フレームの５０％区間の間、光を発生する場合であって図５及び図６で説明したように複数の発光ブロックをスキャニング方向に順次に発光させる場合である。
【０１０９】
比較例に係る左眼画像（ＬＩＧＨＴ）を調べると、前記左眼画像がホワイト画像からブラック画像に変わる場合（ＷＢ）、セグメント内の輝度偏差は約１.０５ｎｉｔであり、前記左眼画像がブラック画像からホワイト画像に変わる場合（ＢＷ）、セグメント内の輝度偏差は約１.１４ｎｉｔである。比較例に係る右眼画像（ＲＩＧＨＴ）を調べると、前記右眼画像がホワイト画像からブラック画像に変わる場合（ＷＢ）、セグメント内の輝度偏差は約１.０９ｎｉｔであり、前記右眼画像がブラック画像からホワイト画像に変わる場合（ＢＷ）、セグメント内の輝度偏差は約０.９６ｎｉｔである。
【０１１０】
第１実施形態に係る左眼画像（ＬＩＧＨＴ）を調べると、前記左眼画像がホワイト画像からブラック画像に変わる場合（ＷＢ）、セグメント内の輝度偏差は約０.４２ｎｉｔであり、前記左眼画像がブラック画像からホワイト画像に変わる場合（ＢＷ）、セグメント内の輝度偏差は約０.３８ｎｉｔである。第１実施形態に係る右眼画像（ＲＩＧＨＴ）を調べると、前記右眼画像がホワイト画像からブラック画像に変わる場合（ＷＢ）、セグメント内の輝度偏差は約０.４６ｎｉｔであり、前記右眼画像がブラック画像からホワイト画像に変わる場合（ＢＷ）、セグメント内の輝度偏差は約０.３１ｎｉｔである。
【０１１１】
第２実施形態に係る左眼画像（ＬＩＧＨＴ）を調べると、前記左眼画像がホワイト画像からブラック画像に変わる場合（ＷＢ）、セグメント内の輝度偏差は約０.２０ｎｉｔであり、前記左眼画像がブラック画像からホワイト画像に変わる場合（ＢＷ）、セグメント内の輝度偏差は約０.０１ｎｉｔである。第１実施形態に係る右眼画像（ＲＩＧＨＴ）を調べると、前記右眼画像がホワイト画像からブラック画像に変わる場合（ＷＢ）、セグメント内の輝度偏差は約０.１９ｎｉｔであり、前記右眼画像がブラック画像からホワイト画像に変わる場合（ＢＷ）、セグメント内の輝度偏差は約０.０１ｎｉｔである。
【０１１２】
以上、表１のように、セグメント内の輝度偏差は、比較例より第１実施形態及び第２実施形態の場合に顕著に減少することを確認できる。  
【０１１３】
下記の表２は、２次元画像対比３次元画像の輝度比率を示すデータである。
【０１１４】
【表２】
2013126248.tif 000004
【０１１５】
表２を参照すると、比較例は液晶シャッターメガネ方式の表示装置である。比較例に係る表示装置において、光源部がブースティング光（１２５％）をフレームの３２％区間で発生する場合、３次元画像の輝度は２次元画像の輝度に対して約１２％を有する。なお、ブースティング光とは、ノーマル光に比べて明るい輝度レベルを有するように設定した光を意味する。  
【０１１６】
実施形態は能動偏光パネルを使う偏光メガネ方式の表示装置である。
【０１１７】
実施形態に係る表示装置において、光源部がノーマル光（１００％）をフレームの５０％区間の間で発生する場合、３次元画像の輝度は２次元画像の輝度に対して約２０％を有する。実施形態に係る表示装置において、光源部がノーマル光（１００％）をフレームの３０％区間の間で発生する場合、３次元画像の輝度は２次元画像の輝度に対して約１２％を有する。  
【０１１８】
実施形態に係る表示装置において、光源部がブースティング光（１１３％）をフレームの５０％区間の間で発生する場合、３次元画像の輝度は２次元画像の輝度に対して約２２.６％を有する。実施形態に係る表示装置において、光源部がブースティング光（１２５％）をフレームの３０％区間の間で発生する場合、３次元画像の輝度は２次元画像の輝度に対して約１５％を有する。
【０１１９】
以上、表２のように、実施形態が比較例より２次元画像に対する３次元画像の輝度比率が増加することを確認できる。  
【０１２０】
本発明の実施形態によると、セグメントブロックを第１偏光モード及び第２偏光モードで動作する駆動信号のレベル変化区間に対応して光源部の発光を制御することによってセグメントブロック内で視認される輝度偏差を改善でき、２次元画像対比３次元画像の輝度比率を改善することができる。  
【０１２１】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１２２】
１００                  制御部
２００                  表示パネル
３００                  表示駆動部
４００                  能動偏光パネル
５００                  偏光駆動部
６００、６２０          光源部
７００                  光源駆動部
【図１】
2013126248.tif 000005
【図２】
2013126248.tif 000006
【図３】
2013126248.tif 000007
【図４】
2013126248.tif 000008
【図５】
2013126248.tif 000009
【図６】
2013126248.tif 000010